(57)【特許請求の範囲】
【請求項１】
異種間無線通信の方法であって、
端末（ＳＴＡ）からアプリケーションサービスプロバイダ（ＡＳＰ）へ第１アクセスネットワークでサービス要求を送信する段階と、
前記ＡＳＰから前記第１アクセスネットワークでユニバーサルサービスインタフェース（ＵＳＩ）要求を受信する段階と、
第２アクセスネットワークでネットワークサービスプロバイダ（ＮＳＰ）によって提供されるサービスのＵＳＩシステムの完全修飾ドメイン名（ＦＱＤＮ）に基づいてＵＳＩシステムアドレスを決定する段階と
を備え、
前記ＳＴＡは、第１無線機及び第２無線機での異種間無線通信で動作し、前記ＵＳＩ要求は前記ＦＱＤＮを含む方法。
【請求項２】
前記ＳＴＡを前記ＵＳＩシステム及びホームＡＡＡ（Ａｕｔｈｅｎｔｉｃａｔｉｏｎ，Ａｕｔｈｏｒｉｚａｔｉｏｎ，  ａｎｄ  Ａｃｃｏｕｎｔｉｎｇ）システムに登録する段階をさらに備える請求項１に記載の方法。
【請求項３】
前記ＵＳＩシステムアドレスに基づいて、前記ＵＳＩ要求を前記ＵＳＩシステムへ転送する段階をさらに備える請求項１に記載の方法。
【請求項４】
ホームＡＡＡシステムを用いて前記ＵＳＩシステムのＩＤを照合する段階をさらに備える請求項３に記載の方法。
【請求項５】
前記ＵＳＩシステムからＵＳＩ応答を受信する段階と、前記ＵＳＩ応答を前記ＡＳＰへ送信する段階とをさらに備える請求項４に記載の方法。
【請求項６】
前記第１アクセスネットワークで前記ＡＳＰから前記サービス要求を受信する段階をさらに備える請求項５に記載の方法。
【請求項７】
前記ＵＳＩ要求は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）のヘッダ間に配された定数をさらに含む請求項１に記載の方法。
【請求項８】
コンピュータに、請求項１から７の何れか一項に記載の異種間無線通信の方法を実行させるためのプログラム。
【請求項９】
端末（ＳＴＡ）によってユニバーサルサービスインタフェース（ＵＳＩ）要求を転送する方法であって、
アプリケーションプロバイダ（ＡＳＰ）、ＵＳＩシステム及びドメイン名サーバ（ＤＮＳ）に前記ＳＴＡを登録する段階と、
前記ＳＴＡから前記ＡＳＰへサービス要求を送信する段階と、
前記ＡＳＰからＵＳＩ要求を受信する段階と、
前記ＵＳＩ要求を第２ＵＳＩシステムへ転送するべく前記ＵＳＩ要求を変更する段階と
前記ＵＳＩ要求を前記第２ＵＳＩシステムへ転送する段階と
を備え、
前記ＳＴＡは、第１無線機及び第２無線機での異種間無線通信で動作し、前記ＵＳＩ要求は、第１ＵＳＩシステムの第１ＵＳＩシステム名を含む方法。
【請求項１０】
前記ＤＮＳへＤＮＳクエリを送信する段階をさらに備える請求項９に記載の方法。
【請求項１１】
前記ＤＮＳからＤＮＳ応答を受信する段階をさらに備える請求項９に記載の方法。
【請求項１２】
前記第２ＵＳＩシステムからＵＳＩ応答を受信する段階と、前記ＡＳＰへ前記サービス要求を送信する段階と、前記ＡＳＰからＡＳＰサービス応答を受信する段階とをさらに備える請求項９に記載の方法。
【請求項１３】
コンピュータに、請求項９から１２の何れか一項に記載のユニバーサルサービスインタフェース（ＵＳＩ）要求を転送する方法を実行させるためのプログラム。
【請求項１４】
異種間無線通信のための端末（ＳＴＡ）であって、
前記ＳＴＡは、第１アクセスネットワークで前記ＳＴＡからアプリケーションサービスプロバイダ（ＡＳＰ）へサービス要求を送信することにより完全修飾ドメイン名（ＦＱＤＮ）に基づいてＵＳＩシステムアドレスを決定し、前記第１アクセスネットワークで前記ＡＳＰからユニバーサルサービスインタフェース（ＵＳＩ）要求を受信し、前記ＵＳＩ要求は、第２アクセスネットワークでネットワークサービスプロバイダ（ＮＳＰ）によって提供されるサービスのＵＳＩシステムのＦＱＤＮを含むＳＴＡ。
【請求項１５】
前記第１アクセスネットワークは、Ｗｉ−Ｆｉ（Ｗｉｒｅｌｓｓ  Ｆｉｄｅｌｉｔｙ）ネットワークまたは無線ローカルエリアネットワーク（ＷＬＡＮ）であり、前記第２アクセスネットワークは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークである請求項１４に記載のＳＴＡ。
【請求項１６】
アプリケーションサービスプロバイダ（ＡＳＰ）、ＵＳＩシステム及びドメイン名サーバ（ＤＮＳ）に登録し、アプリケーションサービスプロバイダ（ＡＳＰ）にサービス要求を送信し、前記ＡＳＰから第１ＵＳＩシステムの第１ＵＳＩシステム名を含むＵＳＩ要求を受信し、第２ＵＳＩシステムへ転送するべく前記ＵＳＩ要求を変更し、前記ＵＳＩ要求を前記第２ＵＳＩシステムへ再転送する異種間無線通信のための無線通信デバイスを備える端末（ＳＴＡ）。
【請求項１７】
前記無線通信デバイスはさらに前記ＤＮＳへＤＮＳクエリを送信し、前記ＤＮＳからＤＮＳ応答を受信し、前記第２ＵＳＩシステムからＵＳＩ応答を受信し、前記ＡＳＰへ前記サービス要求を送信し、前記ＡＳＰからＡＳＰサービス要求を受信する請求項１６に記載の端末（ＳＴＡ）。
【請求項１８】
第１無線機及び第２無線機での異種間無線通信のための端末（ＳＴＡ）を用いて、完全修飾ドメイン名（ＦＱＤＮ）またはネットワークサービスプロバイダ名（ＮＳＰ）ドメイン名に基づいてユニバーサルサービスインタフェース（ＵＳＩ）システムアドレスを決定する段階と、
アプリケーションサービスプロバイダ（ＡＳＰ）からＵＳＩ要求を受信し、前記ＵＳＩ要求を第１ＵＳＩシステムから第２ＵＳＩシステムへ転送するべく前記ＵＳＩ要求を変更し、前記ＵＳＩ要求を前記第２ＵＳＩシステムへリダイレクトすることによって、前記ＳＴＡが受信したＵＳＩ要求をリダイレクトする段階と
を備える無線通信の方法。
【請求項１９】
コンピュータに、請求項１８に記載の無線通信の方法を実行させるためのプログラム。
【請求項２０】
第１無線機及び第２無線機での異種間無線通信のための無線通信デバイスを備える端末（ＳＴＡ）であって、
完全修飾ドメイン名（ＦＱＤＮ）またはネットワークサービスプロバイダ名（ＮＳＰ）ドメイン名に基づいてユニバーサルサービスインタフェース（ＵＳＩ）システムアドレスを決定し、
アプリケーションサービスプロバイダ（ＡＳＰ）からＵＳＩ要求を受信し、前記ＵＳＩ要求を第１ＵＳＩシステムから第２ＵＳＩシステムへ転送するべく前記ＵＳＩ要求を変更し、前記ＵＳＩ要求を前記第２ＵＳＩシステムへリダイレクトすることによって、前記ＳＴＡが受信したＵＳＩ要求をリダイレクトするＳＴＡ。
【発明の詳細な説明】
【技術分野】
【０００１】
本明細書は概して無線通信分野に関する。より具体的には、ユニバーサルサービスインタフェース（ＵＳＩ：Ｕｎｉｖｅｒｓａｌ  Ｓｅｒｖｉｃｅｓ  Ｉｎｔｅｒｆａｃｅ）ネットワーキングの方法及びその関連システムに関する。
【背景技術】
【０００２】
企業、家庭及び教育現場において、無線通信がより普及するに従い、異なる無線技術及びアプリケーションが並行して動作することで、時および／または場所を選ばないコンピューティング及び通信への要望に応じる。例えば、より高いコンピューティングおよび／または通信性能、より優れた可動性および／または最終的にはシームレスなローミングを有する無線環境を提供するために、単一のプラットフォーム上に様々な無線通信ネットワークが存在してよい。
【０００３】
具体的には、無線個人エリアネットワーク（ＷＰＡＮ）は、例えば職場の作業空間または住宅の一室等の比較的狭い空間における短距離な接続性を提供してよい。無線ローカルエリアネットワーク（ＷＬＡＮ）は、オフィスビル、住宅、学校内等、ＷＰＡＮよりも広範囲に対応してよい。無線メトロポリタンエリアネットワーク（ＷＭＡＮ）は、例えば建物を地理的により遠い地域の別の建物と接続することでＷＬＡＮよりも遠距離に対応してよい。無線ワイドエリアネットワーク（ＷＷＡＮ）は、さらに広範囲に対応してよく、セルラーインフラで一般的に展開されている。
【０００４】
広帯域の帯域幅及び速度での情報送信を可能にする移動ネットワークの開発及び展開には継続的な関心が寄せられている。これらのネットワークは、ここではより一般的に広帯域無線アクセス（ＢＷＡ：Ｂｒｏａｄｂａｎｄ  Ｗｉｒｅｌｅｓｓ  Ａｃｃｅｓｓ）ネットワークと呼び、３ＧＰＰ（３ｒｄ  Ｇｅｎｅｒａｔｉｏｎ  Ｐａｒｔｎｅｒｓｈｉｐ  Ｐｒｏｊｅｃｔ）及びその派生が定義した１つ以上のプロトコルまたはＩＥＥＥ（Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ）８０２．１６規格（例えばＩＥＥＥ８０２．１６−２００５）に準拠して動作するネットワークを含んでよいが、ここで説明する実施形態は必ずしもこれらに限定されない。ＩＥＥＥ８０２．１６に準拠したＢＷＡネットワークは時として、ＷｉＭＡＸネットワークと呼ばれる。これは  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略語であり、ＩＥＥＥ８０２．１６規格の準拠性及び互換性テストに合格した製品が有する認定標である。
【０００５】
ＷｉＭＡＸネットワークの展開及び実装では、ネットワークのインフラを運用しサブスクライバに無線アクセスを提供するプロバイダであるネットワークサービスプロバイダ（ＮＳＰ）間の連携をどのように最善に統合するかという課題が常に存在する。アプリケーションサービスプロバイダ（ＡＳＰ：Ａｐｐｌｉｃａｔｉｏｎ  Ｓｅｒｖｉｃｅ  Ｐｒｏｖｉｄｅｒ）及びインターネットアプリケーションプロバイダ（ｉＡＳＰ：Ｉｎｔｅｒｎｅｔ  Ａｐｐｌｉｃａｔｉｏｎ  Ｓｅｒｖｉｃｅ  Ｐｒｏｖｉｄｅｒ）（例えば、Ｇｏｏｇｌｅ（登録商標）、Ｙａｈｏｏ（登録商標）、など）は、公衆のインターネットプロトコル（ＩＰ：Ｉｎｔｅｒｎｅｔ  Ｐｒｏｔｏｃｏｌ）ネットワーク上で、集合的なコンテンツを提供するコンテンツプロバイダ（ＣＰ：Ｃｏｎｔｅｎｔ  Ｐｒｏｖｉｄｅｒ）および／またはインターネット広告業者（ＩＡ：Ｉｎｔｅｒｎｅｔ  Ａｄｖｅｒｔｉｓｅｒ）を含むプロバイダである。ユニバーサルサービスインタフェース（ＵＳＩ）は、信用された第三者ＡＳＰ及びｉＡＳＰに必要なＷｉＭＡＸネットワークインタフェースを指定するためのフレームワークとして開発されてきた。これらのネットワークインタフェースは、ＷｉＭＡＸネットワークの性能及び移動ユーザの情報を安全かつ制御された方法で公表できる。
【図面の簡単な説明】
【０００６】
発明の主題は、本明細書の結びの部分に具体的に述べられ、明確に請求されている。しかしながら、本発明の動作の方法及び構成の両方ならびに目的、機能及び利点は、添付の図面と共に以下の詳細な説明を参照することによってより良く理解され得る。図面は次の通りである。
【０００７】
【図１】いくつかの実施形態における、無線ネットワークを示す。
【図２】多様な実施形態における、マルチ通信プラットフォームのブロック図を示す。
【図３】ＡＳＰによって起動されたダイレクトなＵＳＩサービスフローを示す。
【図４】いくつかの実施形態における、ＡＳＰによって起動されたリダイレクトされるＵＳＩサービスフローを示す。
【図５】いくつかの実施形態における、端末を有するＣＳＮ（接続サービスネットワーク）のＵＳＩシステムの発見を示す。
【図６】いくつかの実施形態における、ＭＳが起動するＵＳＩシステムの発見のフローを示す。
【図７】いくつかの実施形態における、ＭＳが起動するＵＳＩシステムのリダイレクト発見のフローを示す。
【０００８】
説明の単純化と明確化のため、図面の要素の縮尺は必ずしも正確であるとは限らないことが理解されるべきである。例えば明確化のため、いくつかの要素の寸法は、他の要素に対して強調されている。さらに、適切な場合には、参照番号は複数の図面にわたって繰り返し用いられ、対応または類似の要素を示してよい。
【発明を実施するための形態】
【０００９】
本発明の十分な理解を促すべく、以下の詳細な説明では、ＵＳＩネットワーキングの装置及び方法の様々な具体的詳細について述べる。しかしながら、そのような具体的詳細を用いることなく本発明を実施することが可能であることは、当業者によって理解されるべきである。また、本発明を不明瞭にしないように、公知の方法、手順、要素及び回路については詳述していない。
【００１０】
マルチモードデバイスまたは複数通信プラットフォーム（マルチ通信プラットフォーム）において、マルチ通信プラットフォームに少なくとも１つの無線ネットワークへのアクセスが無い場合、無線ネットワークのマルチ無線コーディネーションのシステム及び方法を提供することは効果的である。例えば、マルチ通信プラットフォームは、チャネル品質インジケータのフィードバック及び集中化したスケジューリングメカニズムを実装することで比較的大きなデータスループットを提供するべく、チャネル認識スケジューリング、マルチセルコーディネーション、ＦＦＲ（Ｆｒａｃｔｉｏｎａｌ  Ｆｒｅｑｕｅｎｃｙ  Ｒｅｕｓｅ）及びＯＢ（Ｏｐｐｏｒｔｕｎｉｓｔｉｃ  Ｂｅａｍ  Ｆｏｒｍｉｎｇ）等のスケジューリングプロトコル及びリソース管理を実装した第１無線ネットワークを介して通信を行なう。マルチ通信プラットフォームはまた第２ネットワークを介して通信を行なう。一方で、競合ベース（Ｃｏｎｔｅｎｔｉｏｎ−ｂａｓｅｄ）のネットワーク等の第２ネットワークは、第１無線ネットワークが提供する性能を欠いていてよい。時としてマルチ通信プラットフォームは、第２ネットワークへのアクセスを有し、第１ネットワークへのアクセスを有さずともよいが、第２ネットワークを介して第１無線ネットワークにアクセスすることおよび／または第１無線ネットワーク提供する性能を享受することは有益である。
【００１１】
次に図面を参照されたい。図１は、本発明のある実施形態における、無線通信システム１００を示す。無線通信システム１００は、一般的に１１０、１２０及び１３０として示された複数の有線及び無線ネットワークを含む。具体的には、無線通信システム１００は、無線メトロポリタンエリアネットワーク（ＷＭＡＮ）１１０、無線ローカルエリアネットワーク（ＷＬＡＮ）１２０、及び無線個人エリアネットワーク（ＷＰＡＮ）１３０を含んでよい。図１は３つの無線ネットワークを図示するが、無線通信システム１００は、より多くのまたはより少ない数の無線通信ネットワーク及び１つ以上の有線ネットワークを含んでよい。例えば、無線通信システム１００は、追加のＷＰＡＮ、ＷＬＡＮ、および／またはＷＭＡＮを含んでよい。ここで説明する方法及び装置はこの点において限定されない。
【００１２】
無線通信システム１００はまた、複数の無線ネットワーク及び有線ネットワーク（図示なし）にアクセスすることで異種間無線通信が可能であるマルチ無線サブスクライバ端末１３５及び単一の無線ネットワークにアクセス可能なシングル無線サブスクライバ端末１４０として一般的に示された移動端末またはサブスクライバ端末を含む、１つ以上の端末（ＳＴＡ）を有してよい。例えば、サブスクライバ端末１３５及び１４０は、デスクトップコンピュータ、ラップトップコンピュータ、携帯型コンピュータ、タブレットコンピュータ、携帯電話、ポケベル、音声および／または動画再生機（例えばＭＰ３プレーヤまたはＤＶＤプレーヤ）、ゲーム機、ビデオカメラ、デジカメ、ナビゲーション機器（例えばＧＰＳ機器）、無線周辺機器（例えばプリンタ、スキャナ、ヘッドセット、キーボード、マウス等）、医療機器（例えば心拍数モニタ、血圧モニタ等）、および／または適切な固定型、移動型、携帯型電子機器を含む無線電子機器であってよい。図１は７つのサブスクライバ端末を図示するが、無線通信システム１００は、より多くのまたは少ない数のマルチ無線サブスクライバ端末１３５および／またはシングル無線サブスクライバ端末１４０を有してよい。
【００１３】
サブスクライバ端末１３５及び１４０は、スペクトル拡散変調（例えばダイレクトスプレッド符号分割多元接続（ＤＳ−ＣＤＭＡ）および／または周波数ホッピング符号分割多元接続（ＦＨ−ＣＤＭＡ））、時分割多重（ＴＤＭ）変調、周波数分割多重（ＦＤＭ）変調、直交周波数分割多重（ＯＦＤＭ）変調、直交周波数分割多元接続（ＯＦＤＭＡ）、多重搬送波変調（ＭＤＭ）、および／または無線リンクを介して通信する他の適切な変調技術等の様々な変調技術を用いてよい。
【００１４】
ある実施形態では、サブスクライバ端末１３５及び１４０は、直接スペクトル拡散（ＤＳＳＳ：Ｄｉｒｅｃｔ  Ｓｅｑｕｅｎｃｅ  Ｓｐｒｅａｄ  Ｓｐｅｃｔｒｕｍ）変調および／または周波数ホッピングスペクトル拡散（ＦＨＳＳ：Ｆｒｅｑｕｅｎｃｙ  Ｈｏｐｐｉｎｇ  Ｓｐｒｅａｄ  Ｓｐｅｃｔｒｕｍ）変調を用いてＷＬＡＮ１２０（例えば、ＩＥＥＥによって開発された８０２．１１規格群および／またはこれらの規格の変更及び改訂）を実装してよい。例えば、サブスクライバ端末１３５および／または１４０は、無線リンクを介してアクセスポイント１２５またはＷＬＡＮ１２０と関連する機器と通信してよい。ＡＰ１２５はルータ（図示なし）に動作的に結合してよい。あるいは、ＡＰ１２５及びルータは、例えば無線ルータ等の単一の機器として統合されてよい。
【００１５】
サブスクライバ端末（例えば、マルチ無線サブスクライバ端末１３５及びシングル無線サブスクライバ端末１４０）は、無線周波数信号を複数の小さなサブ信号に分割して大量のデジタルデータを送信するべく、ＯＦＤＭまたはＯＦＤＭＡ変調を用いてよく、それらのサブ信号は異なる周波数で同時に送信される。具体的には、サブスクライバ端末はＯＦＤＭ変調を用いてＷＭＡＮ１１０を実装してよい。例えば、マルチ無線サブスクライバ端末は、ＩＥＥＥによって開発された８０２．１６規格群（例えばＩＥＥＥ規格８０２．１６、２００４年）に準拠して、固定型、移動型および／または携帯型の広帯域無線アクセス（ＢＷＡ）ネットワークで動作し、無線リンクを介して基地局１０５と通信してよい。
【００１６】
上述した例のいくつかは、ＩＥＥＥによって開発された規格に関して説明したが、ここに開示した方法及び装置は、他の特殊利益団体（ＳＩＧ）および／または規格策定団体（例えば、Ｗｉ−Ｆｉ（Ｗｉｒｅｌｅｓｓ  Ｆｉｄｅｌｉｔｙ）アライアンス、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）フォーラム、ＩｒＤＡ（Ｉｎｆｒａｒｅｄ  Ｄａｔａ  Ａｓｓｏｃｉａｔｉｏｎ）、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）等）数多くの仕様および／または規格に直ちに応用可能である。ある実施形態では、アクセスポイント１２５及び基地局１０５は、例えば８０２．１１（ａ）、８０２．１１（ｂ）、８０２．１１（ｇ）、８０２．１１（ｈ）および／または８０２．１１（ｎ）規格を含むＩＥＥＥ規格および／または提案されているＷＬＡＮ仕様等の特定の通信規格に従って通信してよい。しかしながら、本発明の範囲は、他の手法及び規格に従って通信を送信および／または受信するに適している場合があることから、この点において限定されない。ある実施形態では、アクセスポイント１２５及び基地局１０５は、その変更及び改訂を含むＩＥＥＥ８０２．１６−２００４及びＩＥＥＥ８０２．１６（ｅ）無線メトロポリタンエリアネットワーク（ＷＭＡＮ）の規格に従って通信してよい。しかしながら、本発明の範囲は、他の手法及び規格に従って通信を送信および／または受信するに適している場合があることから、この点において限定されない。ＩＥＥＥ８０２．１１及びＩＥＥＥ８０２．１６規格の詳細については、「ＩＥＥＥ  Ｓｔａｎｄａｒｄｓ  ｆｏｒ  Ｉｎｆｏｒｍａｔｉｏｎ  Ｔｅｃｈｎｏｌｏｇｙ  -  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  ｂｅｔｗｅｅｎ  Ｓｙｓｔｅｍｓ」のＬｏｃａｌ  Ａｒｅａ  Ｎｅｔｗｏｒｋｓ  -  Ｓｐｅｃｉｆｉｃ  Ｒｅｑｕｉｒｅｍｅｎｔｓ  -  Ｐａｒｔ  １１  "Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）．  ＩＳＯ／ＩＥＣ  ８８０２−１１：  １９９９年"及びＭｅｔｒｏｐｏｌｉｔａｎ  Ａｒｅａ  Ｎｅｔｗｏｒｋｓ  -  Ｓｐｅｃｉｆｉｃ  Ｒｅｑｕｉｒｅｍｅｎｔｓ  -  Ｐａｒｔ  １６  "Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ"２００５年５月及び関連の改訂／変更を参照されたい。
【００１７】
ＷＭＡＮ１１０及びＷＬＡＮ１２０は、インターネット、電話網（例えばＰＳＴＮ）、ローカルエリアネットワーク（ＬＡＮ）、ケーブルネットワークおよび／またはイーサネット（登録商標）への接続を介した別の無線ネットワーク、デジタル加入者回線（ＤＳＬ）、電話線、同軸ケーブルおよび／またはあらゆる無線接続等、一般的な公衆またはプライベートネットワーク１４５に動作的に結合されてよい。ある例では、ＷＬＡＮ１２０は、ＷＰＡＮ１３０にサービスするＷＰＡＮ  ＳＴＡ１１５および／またはＡＰ１２５を介して一般的な公衆またはプライベートネットワーク１４５に動作的に結合されてよい。別の例では、ＷＭＡＮ１１０は、基地局１０５を介して一般的な公衆またはプライベートネットワーク１４５に動作的に結合されてよい。
【００１８】
無線通信システム１００は、他の適切な無線通信ネットワークを含んでよい。例えば、無線通信システム１００は、無線ワイドエリアネットワーク（ＷＷＮＮ、図示なし）を含んでよい。サブスクライバ端末は、ＷＷＡＮ対応の別の無線通信プロトコルに従って動作してよい。具体的には、これらの無線通信プロトコルは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）技術、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）技術、ＧＰＲＳ（Ｇｅｎｅｒａｌ  Ｐａｃｋｅｔ  Ｒａｄｉｏ  Ｓｅｒｖｉｃｅｓ）技術、ＥＤＧＥ（Ｅｎｈａｎｃｅｄ  Ｄａｔａ  ＧＳＭ  Ｅｎｖｉｒｏｎｍｅｎｔ）（登録商標）技術、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）技術、これらの技術に基づく規格、これらの規格の改訂及び発展および／または他の適切な無線通信規格等のデュアルモード、アナログ、及びデジタル通信システム技術に基づくプロトコルであってよい。ＷＰＡＮは６０ＧＨｚ帯域で動作して凡そ数Ｇｂｐｓのスループットを達成してよい。現在複数の標準化団体（ＩＥＥＥ８０２．１５．３ｃ、ＩＥＥＥ８０２．１１ａｄ、Ｗｉｒｅｌｅｓｓ  ＨＤ  ＳＩＧ、ＥＣＭＡ  ＴＧ２０）が、このようなｍｍＷａｖｅ  ＷＰＡＮ１３０及びＷＬＡＮ１２０ネットワークの仕様開発を行っている。図１はＷＭＡＮ１１０、ＷＬＡＮ１２０及びＷＰＡＮ１３０を図示しているが、無線通信システム１００は、ＷＰＡＮ、ＷＬＡＮ、ＷＭＡＮおよび／またはＷＷＡＮの他の組み合わせを含んでよい。ここで説明する方法及び装置は、この点において限定されない。
【００１９】
無線通信システム１００はさらに、携帯電話システム、衛星システム、個人通信システム（ＰＣＳ）、双方向無線システム、単方向ポケベルシステム、双方向ポケベルシステム、ＰＣシステム、ＰＤＡシステム、個人コンピューティングアクセサリ（ＰＣＡ）システムおよび／または他の適切な通信システムを実装するためのネットワークインタフェースデバイスおよび周辺機器（例えば、ネットワークインタフェースカード（ＮＩＣ））、アクセスポイント（ＡＰ）、再分配ポイント（Ｒｅｄｉｓｔｒｉｂｕｔｉｏｎ  Ｐｏｉｎｔ）、エンドポイント、ゲートウェイ、ブリッジ、ハブ等の他のＷＰＡＮ、ＷＬＡＮ、ＷＭＡＮおよび／またはＷＷＡＮデバイス（図示なし）を含んでよい。上記に特定の例を説明したが、本開示の対象範囲はこれらに限定されない。
【００２０】
図２は、本発明の様々な実施形態における、２つの無線機を有する、異種間無線通信のためのマルチ通信（Ｍｕｌｔｉ−ｃｏｍ）プラットフォーム２００のブロック図を示す。マルチ通信プラットフォーム２００は、インターコネクションネットワークまたはバス２０４に結合した１つ以上のホストプロセッサまたは中央処理装置（ＣＰＵ）２０２（ここでは「複数のプロセッサ２０２」またはより一般的に「プロセッサ２０２」と集合的に称する）を含んでよい。プロセッサ２０２は、ＲＩＳＣ（縮小命令セットコンピュータ）プロセッサまたはＣＩＳＣ（複合命令セットコンピュータ）プロセッサを含む、汎用プロセッサ、コンピュータネットワークで通信されるデータを処理するネットワークプロセッサ等のあらゆる種類のプロセッサであってよい。さらには、プロセッサ２０２はシングルまたはマルチコアデザインであってよい。マルチコアデザインのプロセッサ２０２は、同一の集積回路（ＩＣ）ダイに異なる種類のプロセッサコアを集積してよい。また、マルチコアデザインのプロセッサ２０２は、対称または非対処のマルチプロセッサとして実装されてもよい。
【００２１】
プロセッサ２０２は、様々な実施形態で私有および／または共有されてよい１つ以上のキャッシュ２０３を含んでよい。一般的に、キャッシュ２０３は別の場所に格納あるいは以前に計算された元のデータに対応したデータを格納する。メモリアクセスの遅延を低減するため、キャッシュ２０３にデータが格納された後には、元のデータを再取得または再計算することなくキャッシュされたコピーにアクセスしてデータが用いられてよい。キャッシュ２０３は、マルチ通信プラットフォーム２００の１つ以上のコンポーネントによって用いられる電子データ（命令を含む）を格納するレベル１（Ｌ１）キャッシュ、レベル２（Ｌ２）キャッシュ、レベル３（Ｌ３）キャッシュ、ミッドレベルキャッシュ、ラストレベルキャッシュ（ＬＬＣ）等あらゆる種類のキャッシュであってよい。
【００２２】
チップセット２０６は、追加でインターコネクションネットワーク２０４に結合されてよい。チップセット２０６は、メモリ制御ハブ（ＭＣＨ）２０８を含んでよい。ＭＣＨ２０８は、メモリ２１２に結合したメモリ制御コントローラ２１０を含んでよい。メモリ２１２は、マルチ通信プラットフォーム２００のコンポーネントと通信するプロセッサ２０２または他のあらゆるデバイスによって実行される命令シーケンスを含むデータを格納してよい。様々な実施形態では、メモリ２１２は、ＲＡＭ、ＤＲＡＭ、ＳＤＲＡＭ、ＳＲＡＭ等の１つ以上の揮発性ストレージまたはメモリデバイスを含んでよい。また、ハードディスクなどの不揮発性メモリが用いられてもよい。マルチプロセッサおよび／またはマルチシステムメモリなどの追加のデバイスがインターコネクションネットワーク２０４に結合されてよい。
【００２３】
ＭＣＨ２０８はさらに、例えばグラフィックスアクセラレータを介してディスプレイ２１６に結合されたグラフィックスインタフェース２１４を含んでよい。様々な実施形態では、例えばマン−マシンインタフェース（ｍａｎ−ｍａｃｈｉｎｅ  ｉｎｔｅｒｆａｃｅ）、フラットパネルディスプレイまたはブラウン管を含むディスプレイデバイス２１６は、例えば、動画メモリまたはシステムメモリ等のストレージデバイスに格納された画像のデジタル表現をディスプレイによって解釈及び表示されるディスプレイ信号へと変換する信号変換機を介して、グラフィックスインタフェース２１４に結合されてよい。ディスプレイデバイス２１６によって作成されたディスプレイ信号は、ディスプレイデバイス２１６によって解釈された後に表示される前に様々な制御デバイスを通過してよい。
【００２４】
図２に示すように、ハブインタフェース２１８は、ＭＣＨ２０８を出入力制御ハブ（ＩＣＨ）２２０に結合してよい。ＩＣＨ２２０は、マルチ通信プラットフォーム２００に結合した出入力（Ｉ／Ｏデバイスへのインタフェースを提供してよい。ＩＣＨ２２０は、ＰＣＴ（Ｐｅｒｉｐｈｅｒａｌ  Ｃｏｍｐｏｎｅｎｔ  Ｉｎｔｅｒｃｏｎｎｅｃｔ）ブリッジ、ＵＳＢ（Ｕｎｉｖｅｒｓａｌ  Ｓｅｒｉａｌ  Ｂｕｓ）コントローラ等の周辺ブリッジまたはホストコントローラ２２４を介してバス２２２に結合してよい。コントローラ２２４は、プロセッサ２０２と周辺機器との間のデータパスを提供してよい。他の種類のトポロジが用いられてもよい。また、例えば複数のブリッジまたはコントローラを介して、複数のバスがＩＣＨ２２０に結合していてよい。例えば、バス２２２は「Ｕｎｉｖｅｒｓａｌ  Ｓｅｒｉａｌ  Ｂｕｓ  Ｓｐｅｃｉｆｉｃａｔｉｏｎ，  Ｒｅｖｉｓｉｏｎ  １．１（１９９８年９月２３日）」および／または「Ｕｎｉｖｅｒｓａｌ  Ｓｅｒｉａｌ  Ｂｕｓ  Ｓｐｅｃｉｆｉｃａｔｉｏｎ，  Ｒｅｖｉｓｉｏｎ  ２．０（２０００年４月２７日）」及びいずれかの改訂版に準拠してよい。これに代えて、バス２２２は、バスシステムの他の種類及び構成を有してよい。さらに様々な実施形態において、ＩＣＨ２２０に結合される他の周辺機器は、ＩＤＥ（Ｉｎｔｅｇｒａｔｅｄ  Ｄｒｉｖｅ  Ｅｌｅｃｔｒｏｎｉｃｓ）またはＳＣＳＩハードドライブ、ＵＳＢポート、キーボード、マウス、パラレルポート、シリアルポート、フロッピー（登録商標）ディスクドライブ、ＤＶＩ（Ｄｉｇｉｔａｌ  Ｖｉｄｅｏ  Ｉｎｔｅｒｆａｃｅ）等のデジタル出力サポートを含んでよい。
【００２５】
バス２２２は、音声デバイス２２６、１つ以上のローテーティングまたはソリッドステートディスクドライブ２２８、及び様々な実施形態ではネットワークインタフェースカード（ＮＩＣ）またはチューナカードであってよい通信デバイス２３０に結合されてよい。他のデバイスがバス２２２に結合されてもよい。また、様々な実施形態では、通信デバイス２３０のような多様なコンポーネントがＭＣＨ２０８に結合されてよい。さらにプロセッサ２０２及びＭＣＨ２０８は組み合わされて単一のチップを形成してよい。
【００２６】
さらに、マルチ通信プラットフォーム２００は、揮発性および／または不揮発性メモリまたはストレージを含んでよい。例えば、不揮発性メモリは、ＲＯＭ、ＰＲＯＭ、ＥＰＲＯＭ、ＥＥＰＲＯＭ、ディスクドライブ、ソリッドステートドライブ（例えば２２８）、フロッピー（登録商標）ディスク、ＣＤ−ＲＯＭ、ＤＶＤ、フラッシュメモリ、光磁気ディスク、または命令を含む電子データを格納可能な不揮発性の機械可読媒体の１つ以上を含んでよい。
【００２７】
メモリ２１２は、様々な実施形態において、オペレーティングシステム（ＯＳ）２３２、アプリケーション２３４、デバイスドライバ２３６、バッファ２３８、機能ドライバ２４０、および／またはプロトコルドライバ２４２の１つ以上を含んでよい。メモリ２１２に格納されたプログラムおよび／またはデータは、メモリ管理操作の一部として、ソリッドステートドライブ２２８へ移動されてよい。プロセッサ２０２は、第１無線機２６２を介して第１アクセスネットワーク２６４に結合および／または第２無線機２６６を介して第２アクセスネットワーク２６８に結合した１つ以上のコンピューティングデバイスで様々なコマンドを実行し、１つ以上のパケット２４６を処理する。ある実施形態では、第１アクセスネットワーク２６４はＷｉＭＡＸサービスを提供するＷＭＡＮ１１０であり、第２アクセスネットワーク２６８はＷＬＡＮ１２０またはＷＰＡＮ１３０である。別の実施形態では、第１アクセスネットワーク２６４はＷＬＡＮ１２０またはＷＰＡＮ１３０であり、第２アクセスネットワーク２６８はＷｉＭＡＸサービスを提供するＷＬＡＮ１２０である。
【００２８】
様々な実施形態において、パケットは、少なくとも１つの送信者から少なくとも１つの受信者へ送信される１つ以上の電子信号によって符号化され得る１つ以上の記号および／または値のシーケンスであってよい。例えば各パケットは、パケットのルーティングおよび／または処理に用いられてよい情報を含むヘッダを有してよく、このヘッダは、継続性カウンタ、同期バイト（ｓｙｎｃ  ｂｙｔｅ）、送信元アドレス、送信先アドレス、パケットタイプ等を含んでよい。また各パケットは、様々な端末間をパケットが搬送する生データまたはコンテンツを含むペイロードを有してよい。
【００２９】
様々な実施形態では、アプリケーション２３４はＯ／Ｓ２３２を用いて、例えばデバイスドライバ２３６および／または機能ドライバ２４０を介してマルチ通信プラットフォーム２００の様々なコンポーネントと通信してよい。例えば、デバイスドライバ２３６及び機能ドライバ２４０は、例えばデバイスドライバ２３６は汎用のデバイスクラス属性を管理する一方で機能ドライバ２４０はデバイスに固有の属性（ＵＳＢ特有のコマンド等）を管理する等、異なるカテゴリに用いられてよい。様々な実施形態において、デバイスドライバ２３６は１つ以上のバッファを割り当ててパケットデータを格納してよい。
【００３０】
図２が示すように、通信デバイス２３０は第１ネットワークプロトコル層２５０及び第２ネットワークプロトコル層２５２を含み、基地局１０５、ＷＰＡＮ端末１１５、アクセスポイント１２５および／または他のマルチ通信プラットフォーム２００間でネットワークパケットを送受信する物理通信層を実装してよい。通信デバイス２３０はさらに、データの送受信のためにパケットデータをバッファ２３８に書き込むダイレクトメモリアクセス（ＤＭＡ）エンジン２５４を含んでよい。さらに、通信デバイス２３０は、例えば通信デバイスに関連する動作を行うためのプログラム可能なプロセッサ等のロジックを含み得るコントローラ２５６を含んでよい。様々な実施形態において、コントローラ２５６はＭＡＣ（媒体アクセス制御）コンポーネントであってよい。通信デバイス２３０はさらにあらゆる種類の揮発性／不揮発性メモリ（例えば、１つ以上のキャッシュおよび／またはメモリ２１２について説明した他のメモリの種類）等のメモリ２５８を含んでよい。
【００３１】
様々な実施形態において、通信デバイス２３０は、通信デバイス２３０のコンポーネントによって実行される様々な機能の管理に用いられるファームウェア（またはソフトウェア）を格納するファームウェアストレージデバイス２６０を含んでよい。ストレージデバイス２６０は、例えば不揮発性ストレージデバイス等のあらゆる種類のストレージデバイスであってよい。例えば、ストレージデバイス２６０は、ＲＯＭ、ＰＲＯＭ、ＥＰＲＯＭ、ＥＥＰＲＯＭ、ディスクドライブ、フロッピー（登録商標）ディスク、ＣＤ−ＲＯＭ、ＤＶＤ、フラッシュメモリ、光磁気ディスク、または命令を含む電子データを格納可能な他の種類の不揮発性の機械可読媒体の１つ以上を含んでよい。
【００３２】
様々な実施形態では、バス２２２はＵＳＢバスを含んでよい。アイソクロナスモードはＵＳＢデバイスの４種類のデータフローのうちの１つであり、その他はコントロール、インタラプト、及びバルクである。アイソクロナスモードは一般的に動画または音源等のマルチメディアデータ類のストリーミングに用いられる。アイソクロナスモードでは、マルチメディアアプリケーションのためにアイソクロナスモードが望ましいバスでデバイスが帯域を予約することができる。
【００３３】
図３は、ＵＳＩシステム３１０及びＡＡＡ（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）３１５システムに対してＡＳＰ３０５によって起動された直接的なＵＳＩサービスフローを示す。ＡＡＡ３１５はマルチ通信プラットフォーム２００におけるホームネットワークのサーバであってよい。ＵＳＩシステム３１０は、ｉＡＳＰとも呼ばれる信用された第三者ＡＳＰに対してＷｉＭＡＸネットワークインタフェースを特定するためのフレームワークであり、ネットワークサービス供給業者（ＮＳＰ）との間にＳＬＡ（Ｓｅｒｖｉｃｅ  Ｌｅｖｅｌ  Ａｇｒｅｅｍｅｎｔ）が必要となる場合がある。ＡＳＰ３０５は、公衆インターネット上でサービス、アプリケーション、及び集合的なコンテンツを提供するＹａｈｏｏ！（登録商標）、Ｇｏｏｇｌｅ（登録商標）、及びＥ−Ｂａｙ（登録商標）等のインターネットサービスプロバイダの企業及びこのようなサービスを提供するインターネットのウェブサイトの両方を意味してよい。ＡＳＰ３０５は、コンテンツプロバイダ及びインターネット広告業者と更なる関係を有してよい。具体的には、ＵＳＩシステム３１０は、ＮＳＰのサブサービスの一部を必要とするこのようなＡＳＰ３０５及び関連サービスを対象とする。ある実施形態では、ＮＳＰはＷｉＭＡＸサービスを運営し、これをエンドユーザまたは図２のマルチ通信プラットフォーム２００のユーザに販売するプロバイダである。ＮＳＰは、ＵＳＩシステム３１０のＵＳＩサーバ及びＵＳＩインタフェースを介して安全かつ制御された方法で、ＷｉＭＡＸネットワークの性能及びマルチ通信プラットフォーム２００のユーザ情報をＡＳＰ３０５へ公表する。ＵＳＩサーバは、ＷｉＭＡＸネットワークの性能及びユーザ情報をＡＳＰ３０５に公表するＮＳＰシステムであってよい。ある実施形態におけるマルチ通信プラットフォーム２００は、ＷｉＭＡＸ及び非ＷｉＭＡＸ通信機能を提供し、これら両方が、ＡＳＰ３０５が提供するサービスにアクセス可能なＵＳＩクライアントアプリケーションまたはブラウザを含みこれを実行してよい。
【００３４】
ＵＳＩシステム３１０は、ＮＳＰ及びＡＳＰ３０５の間で安全かつ制御された方法でＷｉＭＡＸネットワークの性能及び移動ユーザの情報を公表可能な、ＵＳＩを認識するアプリケーションまたはインターネットブラウザであってよい。ＮＳＰがＵＳＩサーバを介してＵＳＩサービスを提供していない場いい、クライアントＡＳＰまたはＵＳＩサービスの内容は、ＭＳ認証手順を実行することをＵＳＩサーバに要求してよい。ＮＳＰのＵＳＩサーバがマルチ通信プラットフォーム２００への直接的なアクセスを有さない場合があることから、マルチ通信プラットフォーム２００が非ＷｉＭＡＸ通信モードを用いる場合、認証手順を実行することが難しい場合がある。
【００３５】
図３の実施形態は、ＡＳＰ３０５によって起動された直接的なＵＳＩサービスフローであって、ＡＳＰ３０５は、ＡＳＰ３０５からＵＳＩシステム３１０へＵＳＩ要求３２５を送信するために必要なＵＳＩシステム３１０のアドレス及び要求されたＵＳＩのＩＤ情報をＡＳＰ３０５が事前に有している場合のように情報３２０を有する。例えば、ＡＳＰ３０５は、過去のサービスフローによって利用可能となったＵＳＩのＩＤ情報を有してよい。ＵＳＩシステム３１０は、ＡＡＡ３１５システムとＡＳＰ認証３３０を行い、ＡＳＰ３０５を認証する。ＵＳＩ要求３２５もサービスに固有の手順３４０を提供する前にＵＳＩシステム３１０によって認証される。その後、ＵＳＩ応答３４５がＡＳＰ３０５に返送される。図３のＡＳＰ３０５によって起動された直接的なＵＳＩサービスフローが、ＷｉＭＡＸネットワークの機能を提供しないアクセスネットワークを使用している場合、ＵＳＩシステム３１０はマルチ通信プラットフォーム２００に到達またはこれを認証することができない。
【００３６】
ＡＳＰ３０５がユーザまたは移動端末（ユーザ／ＭＳ）４１０、あるいは図１のマルチ無線サブスクライバ端末１３５または図２のマルチ通信プラットフォーム２００のような端末（ＳＴＡ）を用いて、ＡＳＰ３０５へのアクセスに用いられるアクセスネットワークが非Ｗｉ−ＭＡＸネットワークである場合にＵＳＩシステム３１０の検知にユーザ／ＭＳ４１０が使用する、リダイレクトされるフローを図４に示す。リダイレクトされるフローはまた、ＡＳＰ３０５がユーザ／ＭＳ４１０の認証またはＵＳＩシステム３１０のＩＤの割り当てを要求する実施形態に用いられてもよい。図４のリダイレクトされるフローでは、ユーザ／ＭＳ４１０は、ＵＳＩ登録４２５を用いてＵＳＩシステム３１０及びＡＡＡ３１５に登録される。ユーザ／ＭＳ４１０は、８０２．１１または８０２．１５ネットワーク等の非Ｗｉ−ＭＡＸネットワークを用いてＡＳＰ３０５へＡＳＰサービス要求４３０を送信する。ある実施形態では、ＡＳＰサービス要求４３０は、ウェブブラウザを用いてＷｉ−Ｆｉネットワークで送信されるが、実施形態はこれに限定されない。ＡＳＰはＵＳＩ要求４３５を構築し、ＵＳＩ要求４３５をＵＳＩシステム３１０へリダイレクトする命令と共にＵＳＩ要求４３５をユーザ／ＭＳ４１０へ送信する。
【００３７】
ＵＳＩ要求４３５は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）を用いてリダイレクトされる。ＨＴＴＰは、分散型の協調したハイパーメディア情報システムのためのアプリケーションレベルのプロトコルであり、ウェブ上で相互リンクされたリソースの取得に用いられる。ＨＴＴＰＳは、安全ではないネットワーク上に安全なチャネルを提供する、ＨＴＴＰ及び暗号化プロトコルの組み合わせである。例えば、ＨＴＴＰＳ接続はウェブ上での支払い取引または安全な情報の取引に用いられてよい。ある実施形態では、ＵＳＩ要求４３５は、直接的な通信を可能にし、ユーザ／ＭＳ４１０のＩＤ及びＵＳＩシステム３１０による認証を提供するべくユーザ／ＭＳ４１０からＵＳＩシステム３１０へ送信される。図４のリダイレクトされるフローは、ＵＳＩシステム３１０による認証が要求されたまたは必要な場合に用いられてよい。
【００３８】
図４のリダイレクトされるフローでは、発見手順が用いられてよく、この手順は、特定の非完全修飾ドメイン／ホスト名を介したドメイン名（ＤＮＳ）クエリに依存する。特定の非完全修飾ドメイン／ホスト名を用いることで、ＮＳＰによる自身のローカルＤＮＳのローカル解決が可能になるが、ウェブ上の他の団体と識別可能なグローバルに一意な名前（Ｇｌｏｂａｌｌｙ  Ｕｎｉｑｕｅ  Ｎａｍｅ）を提供しない。例えば、特定の非完全修飾ドメイン／ホスト名は「ｕｓｉ．ｕｓｉ」であってよい。またこれに替えて、ＡＳＰ３０５は、非完全修飾ドメイン／ホスト名ではなく、ＮＳＰのＵＳＩサーバの既知である完全修飾ドメイン名を用いる。この代替の方法は、ＨＴＴＰまたはＨＴＴＰＳのヘッダに完全修飾ドメイン名を表す定数を置くことでＡＳＰ３０５によって実行されてよい。
【００３９】
オプションとしてユーザ／ＭＳ４１０は、ＡＳＰ３０５が必要とすることに少なくとも一部は基づいて、ＵＳＩシステム３１０の発見手順を実行してよい。ある実施形態では、ＵＳＩ要求４４５はユーザ／ＭＳ４１０によってＵＳＩシステム３１０へ送信され、ＡＳＰ３０５は、ＡＳＰ３０５によって提供された情報に少なくとも一部は基づき、ＡＡＡ３１５の援助でＡＳＰ認証３３０によって認証されてよい。
【００４０】
別の実施形態では、ユーザ／ＭＳ４１０のＩＤは、ＡＡＡ３１５、ＵＳＩシステム３１０及びユーザ／ＭＳ４１０の支援を受けたＵＳＩ  ＩＤ認証４５５を介してＵＳＩシステム３１０によって検知されてよい。ＵＳＩシステム３１０は、ＵＳＩ要求許可３３５を用いて、サービスの提供の前にＵＳＩ要求を実行するべく許可を確認する。ＡＳＰ認証３３０、ＵＳＩ  ＩＤ照合４５５及びＵＳＩ要求許可３３５は個別に実行されてもよいが、メッセージ交換を最小限に抑えるため同時に実行されてもよい。サービスに固有の手順３４０は、ＵＳＩシステム３１０によって実行されてよく、ＵＳＩ応答４７０がＡＳＰ３０５へのリダイレクトＵＳＩ応答４７５の命令と共にユーザ／ＭＳ４１０に返送される。ユーザ／ＭＳ４１０はＵＳＩ応答４８０をＡＳＰ／ｉＡＳＰ３０５に転送し、ＡＳＰ／ｉＡＳＰ３０５はＡＳＰサービス応答４８５をユーザ／ＭＳ４１０へ送信する。
【００４１】
実施形態はこれに限定されないが、端末（ＳＴＡ）１０が複数のアクセスネットワーク上で動作する異種間無線通信は、マルチ通信プラットフォーム２００等の端末（ＳＴＡ）からアプリケーションサービスプロバイダ（ＡＳＰ）３０５へＷｉ−Ｆｉネットワーク等の第１アクセスネットワークでサービス要求を送信することにより実行されてよい。ＳＴＡは、第１アクセスネットワークでＡＳＰ３０５からユニバーサルサービスインタフェース（ＵＳＩ）要求４３５を受信し、ＵＳＩ要求４３５は、ＷｉＭＡＸネットワーク等の第２アクセスネットワークでネットワークサービスプロバイダ（ＮＳＰ）によって提供されるサービスのためのＵＳＩシステム３１０の完全修飾ドメイン名（ＦＱＤＮ）を含む。ＳＴＡは、ＦＱＤＮに基づいて目的のＵＳＩシステムのアドレスを決定してよい。
【００４２】
図５は、ユーザ／ＭＳ４１０を有する接続サービスネットワーク（ＣＳＮ）におけるＵＳＩシステム発見の提供を示す。ある実施形態では、ＣＳＮはＷｉＭＡＸの移動ユーザのホームであり、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）、ＡＡＡ、ＷｉＭＡＸネットワークの課金及び管理の機能を有し、ユーザは複数のＣＳＮ間をローミング可能であるが、ユーザ／ＭＳ４１０が訪れるＣＳＮへの認証はホームＣＳＮが提供する。図５では、Ｉｎｔｅｒｎｅｔ  Ｅｎｇｉｎｅｅｒｉｎｇ  Ｔａｓｋ  Ｆｏｒｃｅ  （ＩＥＴＦ）  Ｒｅｑｕｅｓｔ  ｆｏｒ  Ｃｏｍｍｅｎｔｓ  （ＲＦＣ）  １０３５  「Ｄｏｍａｉｎ  Ｎａｍｅｓ  −  Ｉｍｐｌｅｍｅｎｔａｔｉｏｎ  ａｎｄ  Ｓｐｅｃｉｆｉｃａｔｉｏｎ」１９８７年１１月  （ＲＦＣ１０３５）の定義に従って、インターネットプロトコル（ＩＰ）アドレスをドメイン名へと翻訳する媒体としてインターネットＤＮＳを用いる。この実施形態では、ＡＳＰ３０５によって起動されたリバースＤＮＳクエリがユーザ／ＭＳ４１０、あるいはマルチ通信プラットフォーム２００またはマルチ無線機サブスクライバ端末１３５などのＳＴＡのＩＰアドレスを対象に実行される。リバースＤＮＳクエリは、ユーザ／ＭＳ４１０の名前等のユーザ／ＭＳ４１０の情報、および／またはＮＳＰのＮＡＴ（Ｎｅｔｗｏｒｋ  Ａｄｄｒｅｓｓ  Ｔｒａｎｓｌａｔｉｏｎ）サーバの情報を公表する。
【００４３】
第１の実施形態では、ＡＡＡ３１５はＣＳＮのユーザ／ＭＳ４１０のネットワークエントリ５３０を検知し、ＵＳＩシステム３１０へＵＳＩアップデート５３５を提供する。ＵＳＩシステム３１０は、例えばＲＦＣ１０３５に定義されたＩＮ−ＡＤＤＲ．ＡＲＰＡドメインのポインタ（ＰＴＲ）クエリを介して、グローバルｒＤＮＳ５２５システムにリバースＤＮＳ（ｒＤＮＳ）５４０を登録するための要求を起動する。この実施形態では、ユーザ／ＭＳ４１０はＡＳＰ３０５へ要求５４５を送信することでルックアップを起動してよい。ＡＳＰ３０５は、ユーザ／ＭＳ４１０のＩＰアドレスを検知し、ＩＰアドレス５５０のｒＤＮＳクエリをグローバルｒＤＮＳ５２５へ発行する。その後、グローバルｒＤＮＳ５２５は、ＡＳＰ３０５へＤＮＳ応答５５５を送信し、ＮＳＰのアドレス／ルーティング体系またはユーザ／ＭＳ４１０のドメイン名を提供する。ＡＳＰ３０５はその後、ドメイン名をユーザ／ＭＳ４１０のＵＳＩシステムアドレスに翻訳または変換することでＵＳＩを検知する（５６０）。ＡＳＰ３０５によって受信されたエラー結果は、要求５４５をＡＳＰ３０５に送信したユーザ／ＭＳ４１０は認証されたＵＳＩユーザではなく、ＷｉＭＡＸネットワークが提供するサービス等へのアクセス権を持たないことを示してよい。
【００４４】
別の実施形態では、ＵＳＩシステム３１０は、ドメイン名とは異なるＵＳＩに固有のレコードを有するｒＤＮＳ登録５４０信号を送信してよく、ＩＰアドレスのドメイン体系をＮＳＰまたはＵＳＩシステム３１０のＩＤから分離することができる。これにより、ユーザ／ＭＳ４１０がローミング中である場合など、ユーザ／ＭＳ４１０にサービスを提供していないＵＳＩシステム３１０を特定する方法を提供する。
【００４５】
複数のアクセスネットワークで通信するマルチ通信プラットフォーム２００等のＳＴＡにサービスを提供しているＵＳＩシステム３１０のＵＳＩシステムアドレスは、ＡＡＡシステム及びＵＳＩシステム３１０を含むアクセスネットワークに参加するＳＴＡによって決定されてよく、ＡＡＡシステム３１５はＵＳＩシステム３１０にＵＳＩアップデート５３５を提供し、ＵＳＩシステム３１０はグローバルリバースドメイン名システム（ｒＤＮＳ）５２５にＳＴＡのインターネットプロトコル（ＩＰ）アドレスを登録する。ＳＴＡは、アプリケーションサービスプロバイダ（ＡＳＰ）３０５に要求を送信し、ＡＳＰ３０５はＳＴＡのＩＰアドレスを検知し、ＳＴＡのＩＰアドレスをＤＮＳのドメインにマッピングするべくドメイン名システム（ＤＮＳ）クエリ５５０をｒＤＮＳ５２５に送信し、ｒＤＮＳ５２５からｒＤＮＳ応答５５５を受信する。ｒＤＮＳ応答５５５は、ネットワークサービスプロバイダ（ＮＳＰ）ドメイン名を含み、ＮＳＰドメイン名をＳＴＡのＵＳＩシステムアドレスに変換する。
【００４６】
図６のＣＳＮにおけるＵＳＩサポート発見の更なる実施形態では、ユーザ／ＭＳ４１０は、ＡＳＰサービス要求６３５をＡＳＰ３０５へ送信する。ＵＳＩシステム３１０の完全修飾ドメイン名（ＦＱＤＮ）はグローバルＤＮＳネットワークによって認識されている。ＵＳＩ登録６３０は、ユーザ／ＭＳ４１０のＤＮＳ名を正しく解決するため、ホームＣＳＮ及び訪問したＣＳＮのＤＮＳを提供する。ユーザ／ＭＳ４１０のＤＮＳアドレスは、ネットワークへの参加の間に、図５のグローバルｒＤＮＳ５２５などのＤＮＳサーバに登録される。ＡＳＰ３０５は、ＵＳＩ要求６４０をユーザ／ＭＳ４１０へ送信する。ＡＳＰ３０５は、ユーザ／ＭＳ４１０に現在サービスを提供しているＵＳＩシステム３１０を事前に認識することなく、汎用ＤＮＳ名を有するＵＳＩ要求４３５を提出する。この実施形態における、現在サービスを提供しているＵＳＩシステム３１０は、ホームシステムまたはローミング中に訪問したシステムのいずれかであってよい。ＡＳＰ３０５はＵＳＩシステム３１０のアドレスを既知のＤＮＳ名と置換する。このＤＮＳ名は予約されていてよい。ＵＳＩ要求６５５はその後、ＵＳＩシステム３１０に提出され、ＵＳＩ応答６７５がＵＳＩシステム３１０からユーザ／ＭＳ４１０へ送信される。ＡＳＰサービス要求６８０はユーザ／ＭＳ４１０からＡＳＰ３０５へ送信されてよく、ＡＳＰサービス応答６８５がＡＳＰ３０５からユーザ／ＭＳ４１０へ送信されてよい。
【００４７】
図７は、ＭＳが起動するＵＳＩシステムのリダイレクト発見のフローを示す。一例として、ＡＳＰ／ｉＡＳＰ３０５からのサービスを促す８０２．１１または８０２．１５ネットワークで動作する図２のマルチ通信プラットフォーム２００は、ＷｉＭＡＸネットワーク等のアクセスネットワークへの直接的なアクセスを有さない。この実施形態では、ユーザ／ＭＳ４１０はＡＳＰ３０５へのＡＳＰサービス要求６３５を起動する。例えば、マルチ通信プラットフォーム２００は、マップ上にユーザ／ＭＳ４１０の位置を示すことをＡＳＰ３０５に要求してよい。ＡＳＰ３０５は、特定された名前または現在サービスを提供しているＵＳＩシステム３１０を示すある定数と共に、ユーザ／ＭＳ４１０へ要求をＵＳＩシステム３１０へ転送するためのリダイレクトメッセージを有するＵＳＩ要求６４０を送信する。あるいは、ユーザ／ＭＳ４１０は、ＵＳＩシステム３１０にサービスを提供するＤＮＳ６２０へＤＮＳクエリ７４５を送信することによりＵＳＩシステム名を解決してよい。ＤＮＳ６２０は、現在サービスを提供しているＵＳＩシステムのアドレスと共にＤＮＳ応答７５０をユーザ／ＭＳ４１０へ返送することで応答する。
【００４８】
図７に示すように、ユーザ／ＭＳ４１０はＵＳＩ要求６４０をキャプチャし、第１パス７６０を用いてＵＳＩ要求７５５でメッセージを他のＵＳＩシステム７２５へ転送するべくＵＳＩシステムアドレスを変更してよい。ユーザ／ＭＳ４１０は、ＩＥＴＦ  ＲＦＣ  ２６１６  １９９９年６月によるＨＴＴＰ／１．１に定義されたＨＴＴＰ  ＰＯＳＴまたはＨＴＴＰ３０２のリダイレクトストリングの'Ｌｏｃａｔｉｏｎ：'ヘッダを識別することにより、ＵＳＩ要求６４０リダイレクトをキャプチャしてよい。またこれに代えて、リダイレクトするためのＵＳＩ要求６４０は、ＳＯＡＰ  Ｖｅｒｓｉｏｎ  １．２，  Ｗ３Ｃ  Ｒｅｃｏｍｍｅｎｄａｔｉｏｎ（２００７年４月２７日）に定義されたＳＯＡＰ（Ｓｉｍｐｌｅ  Ｏｂｊｅｃｔ  Ａｃｃｅｓｓ  Ｐｒｏｔｏｃｏｌ）メッセージの＜ａｄｄｒｅｓｓ＞要素を識別することによってキャプチャされてよい。
【００４９】
さらにこれに代えて、リダイレクトするためのＵＳＩ要求６４０は、ＤＮＳクエリ７４５でキャプチャされてよい。ネームサーバアクセスは、サーバポート５３（デシマル）でＴＣＰ（Ｔｒａｎｓｍｉｓｓｉｏｎ  Ｃｏｎｔｒｏｌ  Ｐｒｏｔｏｃｏｌ）ＲＦＣ−７９３を用いて、あるいはＵＤＰポート５３（デシマル）でＵＤＰ（Ｕｓｅｒ  Ｄａｔａｇｒａｍ  Ｐｒｏｔｏｃｏｌ）ＲＦＣ−７６８を用いたデータグラムアクセスを介して提供されてよい。ＤＮＳクエリ７４５のキャプチャは、オペレーティングシステム（ＯＳ）が提供する、あるいはネットワークカードまたはファームウェア内のフックを用いてポート５３の発信ＵＤＰまたはＴＣＰトラフィックをスキャンすることによって行われてよい。ＤＮＳクエリ７４５の発信パケットはキャンセルされてよく、ＵＳＩ要求４４５リダイレクトは、ＵＳＩ要求７５５への第２パス７６５で他のＵＳＩシステム７２５へ転送されてよい。
【００５０】
別の例として、リダイレクトするためのＵＳＩ要求６４０はまたＤＮＳ応答７５０でキャプチャされてよい。同様に、ネームサーバアクセスは、サーバポート５３（デシマル）でＴＣＰ  ＲＦＣ−７９３を用いて、あるいはＵＤＰポート５３（デシマル）でＵＤＰ  ＲＦＣ−７６８を用いたデータグラムアクセスを介して提供されてよい。ＤＮＳクエリ７４５のキャプチャは、オペレーティングシステム（ＯＳ）が提供する、あるいはネットワークカードまたはファームウェア内のフックを用いてポート５３の受信ＵＤＰまたはＴＣＰトラフィックをスキャンすることによって行われてよい。ＤＮＳ応答７５０の受信データは変更されてよく、ＵＳＩ要求６４０リダイレクトは、ＵＳＩ要求７５５への第３パス７７０で他のＵＳＩシステム７２５へ転送されてよい。他のＵＳＩシステム７２５へのＵＳＩ要求７５５は、オプションとしてユーザ／ＭＳ４１０にサービスを提供するＵＳＩシステム３１０へ転送されてよく、ユーザ／ＭＳ４１０へ返送されたＵＳＩ応答７７５のサービスに固有の手順を実行すべく、応答がオプションとして他のＵＳＩシステム７２５へ返送されてよい。ＡＳＰサービス要求７８０はユーザ／ＭＳ４１０からＡＳＰ３０５へ送信され、ＡＳＰサービス応答７８５はユーザ／ＭＳ４１０へ返信される。
【００５１】
マルチ通信プラットフォーム２００またはマルチ受信機サブスクライバ端末１３５等の端末（ＳＴＡ）によってＵＳＩ要求を受信し、別のＵＳＩシステム７２５へ要求をリダイレクトする方法には、ＳＴＡまたはユーザ／ＭＳ４１０をアプリケーションプロバイダＡＳＰ３０５、ＵＳＩシステム３１０、及びドメイン名サーバＤＮＳ６２０に登録する段階が関与してよい。ＡＳＰサービス要求６３５はＳＴＡからＡＳＰ３０５へ送信される。ＵＳＩ要求６４０はＡＳＰ３０５からＳＴＡへ送信され、ＵＳＩ要求６４０はＵＳＩシステム３１０の第１ＵＳＩシステム名を含む。ＵＳＩ要求６４０は、他のＵＳＩシステム７２５へリダイレクトされるべくＳＴＡによって変更される。その後、ＵＳＩ要求７２５はＵＳＩシステム３１０から他のＵＳＩシステム７２５へリダイレクトされる。
【００５２】
図１から図７を参照した上述の説明は、Ｗｉ−ＦｉネットワークまたはＬＡＮ等の第１アクセスネットワークでＳＴＡが通信し、ＳＴＡがＷｉＭＡＸネットワーク等の第２アクセスネットワークにアクセスしていない場合でも第２アクセスネットワークによって提供されるサービスにアクセスできるようにさらなる実施形態において組み合わされてよい。例えば、ＳＴＡは、サービスの要求に第１アクセスネットワークを介しているか、あるいは第２アクセスネットワークを介しているかにかかわらず、例えば電子決済サービス等のＵＳＩを介して提供されるサービスにアクセスできる。
【００５３】
ここでは実施形態が、命令、機能、手順、データ構成、アプリケーションプログラム、構成の設定等のデータを参照して説明されてよい。本明細書では、用語「プログラム」はアプリケーション、ドライバ、プロセス、ルーチン、方法、モジュール及びサブプログラムを含む広範囲のソフトウェアコンポーネント及びコンストラクトを含む。用語「プログラム」は、完全なコンパイル単位（つまり、独立してコンパイル可能な命令セット）、コンパイル単位の集合、またはコンパイル単位の一部を示すべく用いられてよい。従って、用語「プログラム」は、マルチ通信プラットフォーム２００によって実行されるとユニバーサルサービスインタフェースネットワーキングをもたらす命令のあらゆる集合を示すべく用いられてよい。マルチ通信プラットフォーム２００におけるプログラムは、ソフトウェア環境のコンポーネントであると考えられてよい。
【００５４】
ここで説明した動作は概して、適宜マルチ通信プラットフォーム２００、基地局１０５、ＷＰＡＮ局１１５、アクセスポイント１２５および／またはマルチ無線サブスクライバ端末１３５のホストプロセッサ及びマイクロコントローラ上のコード命令として具現化された適切なファームウェアまたはソフトウェアの実行によって行なわれてよい。従って、本発明の実施形態は、何らかの形のプロセッシングコアで実行されるか、あるいは機械可読媒体上または内部で実装または実現される命令セットを含んでよい。機械可読媒体は、例えばコンピュータ等の機械によって読み取り可能な形式で情報を格納または送信するあらゆる仕組みを含んでよい。例えば、機械可読媒体は、ＲＯＭ、ＲＡＭ、磁気ディスクストレージ媒体、光ストレージ媒体、及びフラッシュメモリデバイス等の物品を含んでよい。さらに、機械可読媒体は、電子、光、音声、または他の形式の電波信号（例えば、搬送波、赤外線信号、デジタル信号等）の伝播信号を含んでよい。
【００５５】
ここでは本発明の具体的な機能を図示及び説明したが、当業者は多数の改良、代替、変更、及び等価物を着想し得る。従って、添付の請求項は、本発明の本質の範囲内のそのような改良及び変更を含むことを意図していることが理解されるべきである。
［項目１］
異種間無線通信の方法であって、
端末（ＳＴＡ）からアプリケーションサービスプロバイダ（ＡＳＰ）へ第１アクセスネットワークでサービス要求を送信する段階と、
前記ＡＳＰから前記第１アクセスネットワークでユニバーサルサービスインタフェース（ＵＳＩ）要求を受信する段階と、
第２アクセスネットワークでネットワークサービスプロバイダ（ＮＳＰ）によって提供されるサービスのＵＳＩシステムの完全修飾ドメイン名（ＦＱＤＮ）に基づいてＵＳＩシステムアドレスを決定する段階と
を備え、
前記ＳＴＡは、第１無線機及び第２無線機での異種間無線通信で動作し、前記ＵＳＩ要求は前記ＦＱＤＮを含む方法。
［項目２］
前記ＳＴＡを前記ＵＳＩシステム及びホームＡＡＡ（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）システムに登録する段階をさらに備える項目１に記載の方法。
［項目３］
前記ＵＳＩシステムアドレスに基づいて、前記ＵＳＩ要求を前記ＵＳＩシステムへ転送する段階をさらに備える項目１に記載の方法。
［項目４］
ホームＡＡＡシステムを用いて前記ＵＳＩシステムのＩＤを照合する段階をさらに備える項目３に記載の方法。
［項目５］
前記ＵＳＩシステムからＵＳＩ応答を受信する段階と、前記ＵＳＩ応答を前記ＡＳＰへ送信する段階とをさらに備える項目４に記載の方法。
［項目６］
前記第１アクセスネットワークで前記ＡＳＰから前記サービス要求を受信する段階をさらに備える項目５に記載の方法。
［項目７］
前記ＵＳＩ要求は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）のヘッダ間に配された定数をさらに含む項目１に記載の方法。
［項目８］
端末（ＳＴＡ）によってユニバーサルサービスインタフェース（ＵＳＩ）要求を転送する方法であって、
アプリケーションプロバイダ（ＡＳＰ）、ＵＳＩシステム及びドメイン名サーバ（ＤＮＳ）に前記ＳＴＡを登録する段階と、
前記ＳＴＡから前記ＡＳＰへサービス要求を送信する段階と、
前記ＡＳＰからＵＳＩ要求を受信する段階と、
前記ＵＳＩ要求を第２ＵＳＩシステムへ転送するべく前記ＵＳＩ要求を変更する段階と
前記ＵＳＩ要求を前記第２ＵＳＩシステムへ転送する段階と
を備え、
前記ＳＴＡは、第１無線機及び第２無線機での異種間無線通信で動作し、前記ＵＳＩ要求は、第１ＵＳＩシステムの第１ＵＳＩシステム名を含む方法。
［項目９］
前記ＤＮＳへＤＮＳクエリを送信する段階をさらに備える項目８に記載の方法。
［項目１０］
前記ＤＮＳからＤＮＳ応答を受信する段階をさらに備える項目８に記載の方法。
［項目１１］
前記第２ＵＳＩシステムからＵＳＩ応答を受信する段階と、前記ＡＳＰへ前記サービス要求を送信する段階と、前記ＡＳＰからＡＳＰサービス応答を受信する段階とをさらに備える項目８に記載の方法。
［項目１２］
端末（ＳＴＡ）について、ユニバーサルサービスインタフェース（ＵＳＩ：Ｕｎｉｖｅｒｓａｌ  Ｓｅｒｖｉｃｅｓ  Ｉｎｔｅｒｆａｃｅ）システムのＵＳＩシステムアドレスを決定する方法であって、
ＡＡＡ（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）システム及び前記ＵＳＩシステムを含むアクセスネットワークに参加する段階と、
前記ＳＴＡからアプリケーションサービスプロバイダ（ＡＳＰ）に要求を送信する段階と
を備え、
前記ＡＡＡシステムは前記ＵＳＩシステムにＵＳＩアップデートを提供し、前記ＵＳＩシステムは前記ＳＴＡのインターネットプロトコルアドレスをグローバルリバースドメインネームシステム（ｒＤＮＳ）に登録し、前記ＳＴＡは第１無線及び第２無線での異種間無線通信で動作し、  前記ＡＳＰは、前記ＳＴＡのインターネットプロトコル（ＩＰ）アドレスを検知し、前記ｒＤＮＳにドメインネームシステム（ＤＮＳ）クエリを送信して前記ＳＴＡのＩＰアドレスを前記ＤＮＳのドメインにマッピングし、前記ｒＤＮＳからネットワークサービスプロバイダ（ＮＳＰ）のドメイン名を含むｒＤＮＳ応答を受信し、前記ＮＳＰドメイン名を前記ＳＴＡの前記ＵＳＩシステムアドレスに変換する方法。
［項目１３］
前記ｒＤＮＳ応答は、前記ＵＳＩシステムに固有のＤＮＳレコードを含む項目１２に記載の方法。
［項目１４］
異種間無線通信のための端末（ＳＴＡ）であって、
前記ＳＴＡは、第１アクセスネットワークで前記ＳＴＡからアプリケーションサービスプロバイダ（ＡＳＰ）へサービス要求を送信することにより完全修飾ドメイン名（ＦＱＤＮ）に基づいてＵＳＩシステムアドレスを決定し、前記第１アクセスネットワークで前記ＡＳＰからユニバーサルサービスインタフェース（ＵＳＩ）要求を受信し、前記ＵＳＩ要求は、第２アクセスネットワークでネットワークサービスプロバイダ（ＮＳＰ）によって提供されるサービスのＵＳＩシステムのＦＱＤＮを含むＳＴＡ。
［項目１５］
前記第１アクセスネットワークは、Ｗｉ−Ｆｉ（Ｗｉｒｅｌｓｓ  Ｆｉｄｅｌｉｔｙ）ネットワークまたは無線ローカルエリアネットワーク（ＷＬＡＮ）であり、前記第２アクセスネットワークは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）ネットワークである項目１４に記載のＳＴＡ。
［項目１６］
アプリケーションサービスプロバイダ（ＡＳＰ）、ＵＳＩシステム及びドメイン名サーバ（ＤＮＳ）に登録し、アプリケーションサービスプロバイダ（ＡＳＰ）にサービス要求を送信し、前記ＡＳＰから第１ＵＳＩシステムの第１ＵＳＩシステム名を含むＵＳＩ要求を受信し、第２ＵＳＩシステムへ転送するべく前記ＵＳＩ要求を変更し、前記ＵＳＩ要求を前記第２ＵＳＩシステムへ再転送する異種間無線通信のための無線通信デバイスを備える端末（ＳＴＡ）。
［項目１７］
前記無線通信デバイスはさらに前記ＤＮＳへＤＮＳクエリを送信し、前記ＤＮＳからＤＮＳ応答を受信し、前記第２ＵＳＩシステムからＵＳＩ応答を受信し、前記ＡＳＰへ前記サービス要求を送信し、前記ＡＳＰからＡＳＰサービス要求を受信する項目１６に記載の端末（ＳＴＡ）。
［項目１８］
異種間無線通信のための無線通信デバイスを備える端末（ＳＴＡ）であって、
前記ＳＴＡは、
ユニバーサルサービスインタフェース（ＵＳＩ）システムのＵＳＩシステムアドレスを決定し、前記ＳＴＡは前記ＵＳＩシステム及びＡＡＡ（Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ）システムを含むアクセスネットワークに参加し、前記ＡＡＡシステムは前記ＵＳＩシステムへＵＳＩアップデートを提供し、前記ＵＳＩシステムは前記ＳＴＡのインターネットプロトコルアドレスをグローバルリバースドメイン名システム（ｒＤＮＳ）に登録し、前記ＳＴＡからアプリケーションサービスプロバイダ（ＡＳＰ）へ要求を送信し、
前記ＡＳＰは、前記ＳＴＡのインターネットプロトコル（ＩＰ）アドレスを検知し、前記ＤＮＳのドメインに前記ＳＴＡの前記ＩＰアドレスをマッピングするべくドメイン名システム（ＤＮＳ）クエリを前記ｒＤＮＳへ送信し、前記ｒＤＮＳからネットワークサービスプロバイダ（ＮＳＰ）ドメイン名を含むｒＤＮＳ応答を受信し、前記ＮＳＰドメイン名を前記ＳＴＡの前記ＵＳＩシステムアドレスに変換するＳＴＡ。
［項目１９］
前記ＳＴＡはさらに前記ｒＤＮＳから前記ＵＳＩシステムに固有のＤＮＳレコードを含むｒＤＮＳ応答を受信する項目１８に記載のＳＴＡ。
［項目２０］
第１無線機及び第２無線機での異種間無線通信のための端末（ＳＴＡ）を用いて、完全修飾ドメイン名（ＦＱＤＮ）またはネットワークサービスプロバイダ名（ＮＳＰ）ドメイン名に基づいてユニバーサルサービスインタフェース（ＵＳＩ）システムアドレスを決定する段階と、
アプリケーションサービスプロバイダ（ＡＳＰ）からＵＳＩ要求を受信し、前記ＵＳＩ要求を第１ＵＳＩシステムから第２ＵＳＩシステムへ転送するべく前記ＵＳＩ要求を変更し、前記ＵＳＩ要求を前記第２ＵＳＩシステムへリダイレクトすることによって、前記ＳＴＡが受信したＵＳＩ要求をリダイレクトする段階と
を備える無線通信の方法。
【図１】
0005403718.tif 000002
【図２】
0005403718.tif 000003
【図３】
0005403718.tif 000004
【図４】
0005403718.tif 000005
【図５】
0005403718.tif 000006
【図６】
0005403718.tif 000007
【図７】
0005403718.tif 000008